(57)【要約】【課題】本発明にかかる除湿装置は異常状態におかれても安全に機器を制御できるものである。【解決手段】発熱手段１５に第１の温度検出手段１９を設けると共に、循環経路１０内における再生チャンバー部１６と熱交換器１４との間に第２の温度検出手段２０を設け、制御部２１は、第１の温度検出手段の検出温度２６が第４の設定値２５より高い場合、または第２の温度検出手段の検出温度２７が第２の設定値２３より高い場合、または第１の温度検出手段の検出温度２６が第３の設定値２４より高く、第２の温度検出手段の検出温度２７が第１の設定値２２より高い場合に、発熱手段１５への通電を遮断することにより、安全性を更に向上した除湿装置を得られる。【選択図】図２
2015166062.tif 000002
【特許請求の範囲】
【請求項１】
吸込口と吹出口を有する本体ケースと、前記本体ケース内には、制御部と、吸湿部と放湿部を有する除湿ロータと、前記除湿ロータを回動自在に支持する仕切り板と、前記本体ケースの前記吸込口から吸込んだ空気を、第１の送風路により、前記除湿ロータの前記吸湿部を通過後、前記吹出口から本体ケース外に排気する第１の送風手段と、循環経路とを備え、前記循環経路には、前記除湿ロータの放湿部と、前記放湿部の風上側に設けた発熱手段と、前記放湿部の風下側に設けた再生チャンバー部と、前記再生チャンバー部の風下側に設けた熱交換器と、前記循環経路内の空気を循環させる第２の送風手段とを有し、前記発熱手段に第１の温度検出手段を設けると共に、前記循環経路内における前記再生チャンバーと前記熱交換器との間に第２の温度検出手段を設け、前記制御部は、第１の設定値と第２の設定値と第３の設定値と第４の設定値とを有し、前記第１の設定値は、前記第２の設定値より低く、前記第３の設定値は、前記第４の設定値より低く、前記制御部は、前記第１の温度検出手段の検出温度が前記第４の設定値より高い場合、または前記第２の温度検出手段の検出温度が前記第２の設定値より高い場合、または前記第１の温度検出手段の検出温度が前記第３の設定値より高く、前記第２の温度検出手段の検出温度が前記第１の設定値より高い場合に、前記発熱手段への通電を遮断することを特徴とした除湿装置。
【請求項２】
前記制御部は、前記第２の温度検出手段が所定の第１の設定値を上回ると、前記発熱手段の発熱量を減少させることを特徴とした請求項１に記載の除湿装置。
【請求項３】
前記制御部は、前記第１の設定値より低い第５の設定値を有し、前記第２の温度検出手段が所定の第５の設定値を下回ると、前記発熱手段を発熱量を増加させることを特徴とした請求項２に記載の除湿装置。
【発明の詳細な説明】
【技術分野】
【０００１】
本発明は除湿装置に関するもので、安全性を更に向上できるものである。
【背景技術】
【０００２】
吸込口と吹出口を有する本体ケースと、操作部を有す表示手段と、この本体ケース内に設けられるとともに、吸湿部と放湿部を有する除湿ロータと、この除湿ロータを回転させる駆動手段と、前記本体ケースの前記吸込口から吸込んだ空気を、第１の送風路により、前記除湿ロータの吸湿部を通過後、前記吹出口から本体ケース外に排気する第１の送風手段と、前記本体ケース内に設けられた循環経路とを備え、前記循環経路は、前記除湿ロータの放湿部と、この放湿部の風上側に設けた発熱手段と、この放湿部の風下側に設けた再生チャンバーと、この再生チャンバーの風下側に設けた熱交換器と、この循環経路内の空気を循環させる第２の送風手段とを有し、前記再生チャンバーと前記熱交換器との間に第２の温度検出手段を設け、前記第２の温度検出手段が所定の設定値を上回ると前記発熱手段への通電を遮断する制御部を備えたことを特徴とした除湿装置が知られている（例えば、特許文献１参照）。
【０００３】
また、前記第２の温度検出手段に加え、前記第１の送風路における前記吸込口と前記除湿ロータとの間に第３の温度検出手段を設け、前記第２の温度検出手段または前記第３の温度検出手段が所定の設定値を上回ると前記発熱手段への通電を遮断する制御部を備えたことを特徴とした除湿装置が知られている（例えば、特許文献２参照）。
【先行技術文献】
【特許文献】
【０００４】
【特許文献１】特開２００５−１９３０９８号公報
【特許文献２】特開２０１２−１６６１６３号公報（第１０項、第３図）
【発明の概要】
【発明が解決しようとする課題】
【０００５】
このような従来の除湿装置における課題は、吸込口または吹出口が閉塞状態において、本体内部の温度上昇を更に速やかに検知するということであった。
【０００６】
すなわち、従来は循環経路内の再生チャンバーと熱交換器との間に第２の温度検出手段を設け、温度検出手段が所定の設定値を上回ると発熱手段への通電を停止していた。これにより、除湿ロータを回転させる駆動手段のロック時等は、循環経路内の温度上昇が速いので、本体内部の温度上昇を温度検出手段が速やかに検知することが出来ていた。
【０００７】
ところが、洗濯物を乾かしている時に、洗濯物が落下し、吸込口または吹出口を塞いだ場合に、吸込口または吹出口が閉塞状態においては、除湿ロータを回転させる駆動手段のロック時ほど速く温度上昇が起こらない場合があった。
【０００８】
そこで本発明は、上記従来の課題を解決するものであり、吸込口または吹出口の閉塞状態時において、本体内部の温度上昇を速やかに検知し、安全性を更に向上した除湿装置を提供することを目的とする。
【課題を解決するための手段】
【０００９】
吸込口と吹出口を有する本体ケースと、前記本体ケース内には、制御部と、吸湿部と放湿部を有する除湿ロータと、前記除湿ロータを回動自在に支持する仕切り板と、前記本体ケースの前記吸込口から吸込んだ空気を、第１の送風路により、前記除湿ロータの前記吸湿部を通過後、前記吹出口から本体ケース外に排気する第１の送風手段と、循環経路とを備え、前記循環経路には、前記除湿ロータの放湿部と、前記放湿部の風上側に設けた発熱手段と、前記放湿部の風下側に設けた再生チャンバー部と、前記再生チャンバー部の風下側に設けた熱交換器と、前記循環経路内の空気を循環させる第２の送風手段とを有し、前記発熱手段に第１の温度検出手段を設けると共に、前記循環経路内における前記再生チャンバーと前記熱交換器との間に第２の温度検出手段を設け、前記制御部は、第１の設定値と第２の設定値と第３の設定値と第４の設定値とを有し、前記第１の設定値は、前記第２の設定値より低く、前記第３の設定値は、前記第４の設定値より低く、前記制御部は、前記第１の温度検出手段の検出温度が前記第４の設定値より高い場合、または前記第２の温度検出手段の検出温度が前記第２の設定値より高い場合、または前記第１の温度検出手段の検出温度が前記第３の設定値より高く、前記第２の温度検出手段の検出温度が前記第１の設定値より高い場合に、前記発熱手段への通電を遮断し、これにより所期の目的を達成するものである。
【発明の効果】
【００１０】
本発明によれば、吸込口と吹出口を有する本体ケースと、前記本体ケース内には、制御部と、吸湿部と放湿部を有する除湿ロータと、前記除湿ロータを回動自在に支持する仕切り板と、前記本体ケースの前記吸込口から吸込んだ空気を、第１の送風路により、前記除湿ロータの前記吸湿部を通過後、前記吹出口から本体ケース外に排気する第１の送風手段と、循環経路とを備え、前記循環経路には、前記除湿ロータの放湿部と、前記放湿部の風上側に設けた発熱手段と、前記放湿部の風下側に設けた再生チャンバー部と、前記再生チャンバー部の風下側に設けた熱交換器と、前記循環経路内の空気を循環させる第２の送風手段とを有し、前記発熱手段に第１の温度検出手段を設けると共に、前記循環経路内における前記再生チャンバーと前記熱交換器との間に第２の温度検出手段を設け、前記制御部は、第１の設定値と第２の設定値と第３の設定値と第４の設定値とを有し、前記第１の設定値は、前記第２の設定値より低く、前記第３の設定値は、前記第４の設定値より低く、前記制御部は、前記第１の温度検出手段の検出温度が前記第４の設定値より高い場合、または前記第２の温度検出手段の検出温度が前記第２の設定値より高い場合、または前記第１の温度検出手段の検出温度が前記第３の設定値より高く、前記第２の温度検出手段の検出温度が前記第１の設定値より高い場合に、前記発熱手段への通電を遮断することを特徴とするものである。
【００１１】
すなわち、洗濯物を乾かしている時に、洗濯物が落下し、吸込口または吹出口を塞いだ場合に、除湿ロータ駆動手段のロック時ほど速く温度上昇が起こらない場合であっても、本体内部の温度上昇を速やかに検知し、本体内部の過熱を防ぐことができる。結果として、安全性を更に向上することができる。
【図面の簡単な説明】
【００１２】
【図１】本発明の実施の形態における除湿装置の分解斜視図
【図２】同除湿装置の概略断面図
【図３】同除湿装置の制御ブロック図
【図４】同除湿装置の第１の温度検出手段の検出温度と、第２の温度検出手段の検出温度と、発熱手段および各駆動手段の出力の関係を示す図（（ａ）循環経路の風量が著しく低下した場合の図、（ｂ）除湿ロータのロック、もしくは除湿ロータの著しく劣化した場合の図、（ｃ）吸込口もしくは吹出口が閉塞された場合の図）
【図５】同除湿装置の第１の温度検出手段の検出温度と、第２の温度検出手段の検出温度と、発熱手段の出力の関係を示す図（（ｄ）高湿雰囲気から低湿雰囲気に変化した場合の図）、（ｅ）低湿雰囲気から高湿雰囲気に変化した場合の図）
【発明を実施するための形態】
【００１３】
吸込口と吹出口を有する本体ケースと、前記本体ケース内には、制御部と、吸湿部と放湿部を有する除湿ロータと、前記除湿ロータを回動自在に支持する仕切り板と、前記本体ケースの前記吸込口から吸込んだ空気を、第１の送風路により、前記除湿ロータの前記吸湿部を通過後、前記吹出口から本体ケース外に排気する第１の送風手段と、循環経路とを備え、前記循環経路には、前記除湿ロータの放湿部と、前記放湿部の風上側に設けた発熱手段と、前記放湿部の風下側に設けた再生チャンバー部と、前記再生チャンバー部の風下側に設けた熱交換器と、前記循環経路内の空気を循環させる第２の送風手段とを有し、前記発熱手段に第１の温度検出手段を設けると共に、前記循環経路内における前記再生チャンバーと前記熱交換器との間に第２の温度検出手段を設け、前記制御部は、第１の設定値と第２の設定値と第３の設定値と第４の設定値とを有し、前記第１の設定値は、前記第２の設定値より低く、前記第３の設定値は、前記第４の設定値より低く、前記制御部は、前記第１の温度検出手段の検出温度が前記第４の設定値より高い場合、または前記第２の温度検出手段の検出温度が前記第２の設定値より高い場合、または前記第１の温度検出手段の検出温度が前記第３の設定値より高く、前記第２の温度検出手段の検出温度が前記第１の設定値より高い場合に、前記発熱手段への通電を遮断することを特徴とするものである。これにより、洗濯物を乾かしている時に、洗濯物が落下し、吸込口または吹出口を塞いだ場合に、除湿ロータ駆動手段のロック時ほど速く温度上昇が起こらない場合であっても、本体内部の温度上昇を速やかに検知し、本体内部の過熱を防ぐことができる。結果として、更に安全性を向上することができる。
【００１４】
また、前記制御部は、前記第２の温度検出手段が所定の第１の設定値を上回ると、前記発熱手段の発熱量を減少させることを特徴とするものである。これにより、低湿時において、再生チャンバーの温度上昇を抑制することができる。結果として、安全性を向上することができる。
【００１５】
また、前記制御部は、前記第１の設定値より低い第５の設定値を有し、前記第２の温度検出手段が所定の第５の設定値を下回ると、前記発熱手段を発熱量を増加させることを特徴とするものである。これにより、高湿な外気の流入や洗濯物を干すなどして室内の湿度が低湿状態から上昇した場合に、低湿時に抑制されていた発熱手段を通電させ、除湿装置の機能を最大限発揮することができる。結果として、使用者に対して本体操作の要求なく、雰囲気湿度に応じた最適な運転をすることができる。
【００１６】
以下、本発明の実施の形態について図面を参照しながら説明する。
【００１７】
（実施の形態１）
図１は本発明の実施の形態における除湿装置の概略構成を示す簡易的な分解図である。
【００１８】
図２は本発明の一実施形態を示す平面概略断面図である。図１、図２に示すように、本実施形態の除湿装置は、本体ケース１前面に吸込口２を設け、本体ケース１の上部に吹出口３および操作部４を有している。使用者は、この操作部４を操作することで本装置の操作および運転モードの確認をすることができる。本体ケース１の材質は、樹脂であり、１例としては、ＡＢＳ樹脂である。本体ケース１の下方には、受皿５が出没自在に設けられており、本体ケース１内で生成された除湿水を貯水する。
【００１９】
この本体ケース１内に、吸湿部６と放湿部７を有する除湿ロータ８、第１の送風手段９、循環経路１０とを備えている。
【００２０】
除湿ロータ８は仕切り板１１に回転自在に配置されており、その回転駆動は駆動手段１２によって行われるようになっている。
【００２１】
第１の送風手段９は、本体ケース１内の後方に設けられており、図１の第１の送風路１３のごとく、本体ケース１の吸込口２から吸込んだ室内空気を、除湿ロータ８の吸湿部６を通過後、吹出口３から本体ケース１外に排気する。第１の送風手段９の前方には、除湿ロータ８を備えている。
【００２２】
除湿ロータ８は、吸着材が担持された軸方向に通風可能な円筒状のハニカムローターで構成されており、この吸着材は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着材の保持可能な水分量の差に応じて水分の吸脱着が行われることになる。
【００２３】
図２に示すとおり、循環経路１０は、除湿ロータ８の放湿部７と、この放湿部７の風上側に設けた発熱手段である発熱手段１５と、この放湿部７の風下側に設けた再生チャンバー部１６と、この再生チャンバー部１６の風下側に設けた熱交換器１４と、この熱交換器１４の風下側に設け循環経路１０内の空気を循環させる第２の送風手段１８とを有するものである。発熱手段１５には、第１の温度検出手段１９を設け、循環経路１０内における再生チャンバー部１６と熱交換器１４との間に第２の温度検出手段２０を設ける。なお、この循環経路１０は本体ケース１内の通気路として独立している。
【００２４】
発熱手段１５は、扇形のケース内に収められ、一定の厚みを持っている。扇形の片方の面は開口しており、除湿ロータ８の放湿部７の上流に位置する。この開口部から高温に熱した空気が放湿部７に流入し、除湿ロータ８の水分を脱着する。扇形のもう一方の面は板金で覆われており、その外郭に第１の温度検出手段１９が取り付けられている。なお、第１の温度検出手段１９の検知部は、第２の送風手段の動作停止等、異常発生時には速やかに温度上昇を検知できるよう、取り付け面の板金に設けられた貫通部上に配置されている。扇形の円弧部分の側面および直線部分の側面のうちの一方は板金で閉じられており、発熱手段１５で発生した熱をケース外に漏れないようにしている。直線部分のもう一方の側面は開口しており、循環経路における風上側に設けられた第２の送風手段１８と接続している。このようにして、発熱手段１５は循環経路１０の一部を形成し、第２の送風手段１８から送られた空気を高温に熱したのち、除湿ロータ８の放湿部７に供給する。
【００２５】
さらに、この本体ケース１内には図２の矢印Ａに示すごとく、第１の送風手段９によって吸込口２から本体ケース１内に吸込んだ室内空気を、循環経路１０の熱交換器１４を通過後、第１の送風手段９を経由し、吹出口３から本体ケース１外に排気する送風路が形成されている。
【００２６】
ただし、矢印Ａの室内空気は、熱交換器１４内を通過する循環経路１０の空気とは、この熱交換器１４を構成する熱伝導面を介して熱交換されるだけで、この熱交換器１４部分で混合されることはない。
【００２７】
本体ケース１内の後方側には、第１の送風手段９を備え、本体ケース１内の前方側には、除湿ロータ８を備えている。第１の送風手段９と、除湿ロータ８との間には、発熱手段を備えている。除湿ロータ８と本体ケース１前面との間には、再生チャンバー部１６を設けている。
【００２８】
ここで、循環経路１０の動作について説明すると、発熱手段１５で加熱された、循環経路１０の空気は、放湿部７において、湿気を放出させ、この高温、過湿状態の空気が、風下側に設けた再生チャンバー部１６に流入する。再生チャンバー部１６内で高温空気は、まず板金に吹き付け、その後、風向を変えながら再生チャンバー部１６内の空洞に進み、仕切り板１１等で構成された風路を介して、更に風下側の熱交換器１４に送られる。この熱交換器１４には上述の通り、図２の矢印Ａに示すごとく、第１の送風手段９によって室内空気が送風されているので、高温、過湿状態の空気は冷却され、これにより結露し、これが受皿５内に溜められる。
【００２９】
除湿ロータ８の吸湿部６は、第１の送風路１３に室内空気が通過するごとに、湿気を吸着し、これが除湿ロータ８の回転により、次に上述した放湿部７となって、循環経路１０内に湿気を放出させ、このような循環により室内空気の除湿が行われる。
【００３０】
図３は本実施形態における制御ブロック図である。
【００３１】
図３に示すごとく、制御部２１は、操作部４から、使用者が設定した運転モードを検知し、第１の温度検出手段１９、第２の温度検出手段２０、室温検出手段２９および湿度検出手段３０の各検出値を検出する。その入力から、制御部２１は、表示手段１７のＬＥＤを設定通りに点灯させ、第１の送風手段９、駆動手段１２、発熱手段１５、第２の送風手段１８の出力を自在に設定することが可能である。
【００３２】
図４は、３つの条件における、第１の温度検出手段の検出温度２６と第２の温度検出手段の検出温度２７と、発熱手段１５および各駆動手段の出力の関係を示す。各駆動手段とは、第１の送風手段９、駆動手段１２、第２の送風手段１８を示す。３つの条件は、（ａ）循環経路１０の風量が著しく低下した場合、（ｂ）除湿ロータ８のロック、もしくは除湿ロータ８の著しく劣化した場合、（ｃ）吸込口２もしくは吹出口３が閉塞された場合である。
【００３３】
本実施形態における特徴は、第１の設定値２２と第２の設定値２３と第３の設定値２４と第４の設定値２５とを有し、第１の設定値２２は、第２の設定値２３より低く、第３の設定値２４は、第４の設定値２５より低く、制御部２１は、第１の温度検出手段１９の検出温度が第４の設定値２５より高い場合、または第２の温度検出手段２０の検出温度が前記第２の設定値２３より高い場合、または第１の温度検出手段１９の検出温度が第３の設定値２４より高く、第２の温度検出手段２０の検出温度が第１の設定値２２より高い場合に、発熱手段１５への通電を遮断することである。
【００３４】
以下、図４（ａ）、（ｂ）、（ｃ）について、具体的に説明する。
【００３５】
図４（ａ）は、循環経路１０の風量が著しく低下した場合である。つまり、第２の送風手段１８が停止した場合である。この場合、循環経路１０内の第２の温度検出手段の検出温度２７は、あまり変化しないが、発熱手段１５に設けた第１の温度検出手段の検出温度２６が、上昇するものである。
【００３６】
図４（ａ）に示すごとく、第２の温度検出手段の検出温度２７が第１の設定値２２より低く、かつ、第１の温度検出手段の検出温度２６が第４の設定値２５より高くなった場合に、制御部２１は、発熱手段１５の出力を停止し、一定時間後に各駆動手段（第１の送風手段９、駆動手段１２、第２の送風手段１８）の出力を停止する。
【００３７】
これにより、第２の送風手段１８が停止、もしくは風量が著しく低下した場合に、発熱手段１５周辺の樹脂部品の温度上昇を防ぎ、更に安全性を向上することが可能となる。更に、各駆動手段（第１の送風手段９、駆動手段１２、第２の送風手段１８）を一定時間後に遮断することにより、発熱手段１５に残存した熱を拡散することが可能となる。図４（ａ）の動作は、本体に入力される電源電圧が異常に上昇した場合や、循環経路１０が除湿水もしくは埃等で封鎖された場合にも有効である。
【００３８】
図４（ｂ）は、除湿ロータ８のロック、もしくは除湿ロータ８の著しく劣化した場合である。この場合、発熱手段１５に設けた第１の温度検出手段の検出温度２６は、あまり変化しないが、循環経路１０内の第２の温度検出手段の検出温度２７が、上昇するものである。
【００３９】
図４（ｂ）に示すごとく、第１の温度検出手段の検出温度２６が第３の設定値２４より低く、かつ、第２の温度検出手段の検出温度２７が第２の設定値２３より高くなった場合に、制御部２１は、発熱手段１５の出力を停止し、一定時間後に各駆動手段（第１の送風手段９、駆動手段１２、第２の送風手段１８）の出力を停止する。
【００４０】
これにより、除湿ロータ８のロック状態、もしくは、除湿ロータ８の著しい劣化により、除湿ロータ８の放湿部７からの放湿量が低下した場合に、再生チャンバー部１６およびその風下側の熱交換器１４等の温度上昇を防ぎ、更に安全性を向上することが可能となる。すなわち、本来は、発熱手段１５で高温となった空気が除湿ロータ８の放湿部７を通過すると、除湿ロータ８に含まれる水分が脱着し、潜熱が奪われるため、空気温度が低下する。しかし、放湿量が著しく低下すると、放湿部７を通過しても温度低下が少なく、循環経路風下側の再生チャンバー部１６や熱交換器１４の温度が上昇する。そこで、循環経路１０内に設けた第２の温度検出手段２０が異常を速やかに検知し、発熱手段１５を遮断する。更に、各駆動手段（第１の送風手段９、駆動手段１２、第２の送風手段１８）を一定時間後に遮断することにより、循環経路１０の放湿部７の風下にあたる、再生チャンバー部１６および熱交換器１４の過熱を防ぐことが可能となる。
【００４１】
図４（ｃ）は、吸込口２もしくは吹出口３が閉塞された場合である。つまり、洗濯物を乾かしている時に、洗濯物が落下し、吸込口２や吹出口３を塞いだ場合である。この場合、発熱手段１５に設けた第１の温度検出手段の検出温度２６と、循環経路１０内の第２の温度検出手段の検出温度２７が、両方とも温度が上昇するものである。但し、（ａ）循環経路１０の風量が著しく低下した場合や、（ｂ）除湿ロータ８のロック、もしくは除湿ロータ８の著しく劣化した場合ほど早く温度が上昇するものではない。
【００４２】
図４（ｃ）に示すごとく、第１の温度検出手段の検出温度２６が第３の設定値２４より高く、かつ、第２の温度検出手段の検出温度２７が第１の設定値２２より高くなった場合に、制御部２１は、発熱手段１５の出力を停止し、一定時間後に各駆動手段（第１の送風手段９、駆動手段１２、第２の送風手段１８）の出力を停止する。
【００４３】
これにより、洗濯物を乾かしている時に、洗濯物が落下し、吸込口２や吹出口３を塞いだ場合に、もしくは、吸込口２に埃等が蓄積し、第１の送風路１３を通過する風量が低下することにより、図４（ａ）や図４（ｂ）に示した異常時ほど速く温度検出手段の温度上昇が起こらない場合であっても、本体内部の温度上昇を速やかに検知し、本体内部の過熱を防ぐことができる。結果として、安全性を向上することができる。更に、各駆動手段（第１の送風手段９、駆動手段１２、第２の送風手段１８）を一定時間後に遮断することにより、本体ケース１内の過熱を防ぐことが可能となる。
【００４４】
図１、図３に示すごとく、本体ケース１に制御部２１から出力可能な表示手段１７を設け、制御部２１は、上記図４（ａ）、（ｂ）、（ｃ）において、異常を検知し、発熱手段１５を遮断すると同時に表示手段１７に設けられた異常を示すＬＥＤが点灯し、操作部４による操作を無効とする。これにより、異常発生時に、本体動作を受け付けないことにより、また、表示手段１７により使用者に伝えることにより、使用者に注意喚起し、さらなる不安全状態に至ることを防ぐことができる。結果として、落下した洗濯物を取り除く等の処置により、安全性を向上することができる。
【００４５】
図５は、（ｄ）高湿雰囲気から低湿雰囲気に変化した場合と、（ｅ）低湿雰囲気から高湿雰囲気に変化した場合である。この場合における第１の温度検出手段の検出温度２６と、第２の温度検出手段の検出温度２７と、発熱手段１５の出力の関係を示す。
【００４６】
発熱手段１５は、複数のニクロム線で構成され、制御部２１は、通電するニクロム線の本数を調整することにより、出力を段階的に調節可能とする。図５（ｄ）に示すごとく、制御部２１は、第１の温度検出手段の検出温度２６が第３の設定値２４より低く、かつ、第２の温度検出手段２０が所定の第１の設定値２２を上回ると、発熱手段１５の発熱量を減少させる。これにより、低湿時において、再生チャンバー部１６の温度上昇を抑制することができる。図４（ｂ）と同様に、低湿時においても、除湿ロータ８の吸放湿量が減少し、放湿部７風下の再生チャンバー部１６および熱交換器１４の温度が上昇しやすくなるため、安全性を向上し、樹脂の耐久性を高めるために、発熱手段１５の出力を減少させる。加えて、必要以上の出力を抑制することにより、消費電力を減少させるため、省エネ性の向上が期待できる。
【００４７】
上記図５（ｄ）の動作の特徴は、第１の温度検出手段の検出温度２６が第３の設定値２４より低く、かつ、第２の温度検出手段２０が所定の第１の設定値２２を上回り、制御部２１が発熱手段１５の発熱量を減少させた場合においてである。この場合にも、制御部２１は、各駆動手段（第１の送風手段９、駆動手段１２、第２の送風手段１８）を遮断せず、表示手段１７に設けられた異常を示すＬＥＤを点灯させず、操作部４による操作を受け付ける制御を行う。低湿雰囲気での動作は、図４（ａ）、（ｂ）、（ｃ）で示した状態とは異なり、異常状態ではないため、発熱量を減少させることにより、低湿雰囲気においても、樹脂部品の温度上昇を抑制しつつ、本体動作を継続することができる。結果として、使用者に対して本体操作の要求なく、かつ、必要以上の不安感を与えず、安全性を向上し、樹脂の耐久性を向上することが可能となる。
【００４８】
図５（ｅ）に示すごとく、制御部２１は、第１の設定値２２より低い第５の設定値を有し、第２の温度検出手段の検出温度２７が所定の第５の設定値２８を下回ると、発熱手段１５の発熱量を増加させる。これにより、高湿な外気の流入や洗濯物を干すなどして室内の湿度が低湿状態から上昇した場合に、低湿時に抑制されていた発熱手段１５を通電させ、除湿装置の機能を最大限発揮することができる。すなわち、低湿雰囲気から湿度が上昇した場合に、除湿ロータ８の放湿部７の放湿量が増加し、発熱手段１５を通電させても、放湿部７風下の再生チャンバー部１６および熱交換器１４が十分に安全な温度で運転可能になるためである。結果として、使用者に対して本体操作の要求なく、雰囲気湿度に応じた最適な運転をすることができる。
【産業上の利用可能性】
【００４９】
本発明にかかる除湿装置は、閉塞等の異常が発生したことを速やかに検知し、安全性を更に向上させたものであり、発熱手段を用いる空調機器等に有用である。
【符号の説明】
【００５０】
１    本体ケース
２    吸込口
３    吹出口
４    操作部
５    受皿
６    吸湿部
７    放湿部
８    除湿ロータ
９    第１の送風手段
１０    循環経路
１１    仕切り板
１２    駆動手段
１３    第１の送風路
１４    熱交換器
１５    発熱手段
１６    再生チャンバー部
１７    表示手段
１８    第２の送風手段
１９    第１の温度検出手段
２０    第２の温度検出手段
２１    制御部
２２    第１の設定値
２３    第２の設定値
２４    第３の設定値
２５    第４の設定値
２６    第１の温度検出手段の検出温度
２７    第２の温度検出手段の検出温度
２８    第５の設定値
２９    室温検出手段
３０    湿度検出手段
【図１】
2015166062.tif 000003
【図２】
2015166062.tif 000004
【図３】
2015166062.tif 000005
【図４】
2015166062.tif 000006
【図５】
2015166062.tif 000007